(57)【要約】【課題】複数のローカル放送局にデジタルテレビ信号を伝送しながら、全てのサービスエリアの視聴者のテレビジョンに同時に同じ画像を表示する。【解決手段】同時放送方法は、番組送出放送局１が配送デジタルテレビ信号をローカル放送局２に伝送し、ローカル放送局２が視聴者のテレビジョンに視聴者デジタルテレビ信号を送信する。番組送出放送局１は、フレームを表示する時刻を特定するタイムコード信号を、配送デジタルテレビ信号の各フレームに設けると共に、ローカル放送局２が受信する標準時の時刻がタイムコード信号の時刻よりも早くなるように先送出時間（Ｔ）早く出力する。ローカル放送局２は、受信した配送デジタルテレビ信号を調整遅延時間遅延して、視聴者デジタルテレビ信号を送信する。視聴者のテレビジョンは、視聴者デジタルテレビ信号を受信して、タイムコード信号の特定時刻を標準時に一致させて各々のフレームを表示する。【選択図】図１
2006013818.tif 000002
【特許請求の範囲】
【請求項１】
番組送出放送局(1)が、配送デジタルテレビ信号をローカル放送局(2)に伝送し、この配送デジタルテレビ信号を受信したローカル放送局(2)が視聴者のテレビジョンに視聴者デジタルテレビ信号を伝送する放送方法であって、
番組送出放送局(1)は、視聴者のテレビジョンにフレームを表示する時刻を特定するためのタイムコード信号を配送デジタルテレビ信号に設けて、タイムコード信号のある配送デジタルテレビ信号をローカル放送局(2)に伝送し、
さらに、番組送出放送局(1)は、ローカル放送局(2)が配送デジタルテレビ信号を受信する標準時の時刻が、配送デジタルテレビ信号のタイムコード信号で特定される時刻よりも早くなるように、配送デジタルテレビ信号を先送出時間（Ｔ）早くしてローカル放送局(2)に出力し、
ローカル放送局(2)は、受信した配送デジタルテレビ信号を、調整遅延時間遅延させて視聴者デジタルテレビ信号を視聴者のテレビジョンに伝送し、
ローカル放送局(2)が視聴者デジタルテレビ信号を遅延させる調整遅延時間を、視聴者のテレビジョンが、タイムコード信号の特定時刻にフレームを表示するように設定して、視聴者のテレビジョンのフレームの表示時刻と、タイムコード信号の特定時刻とのずれを少なくする放送方法。
【請求項２】
番組送出放送局(1)が、各々のフレームにタイムコード信号を設けて、配送デジタルテレビ信号をローカル放送局(2)に出力する請求項１に記載されるデジタルテレビの同時放送方法。
【請求項３】
番組送出放送局(1)が、特定のフレームにタイムコード信号を設けて、配送デジタルテレビ信号をローカル放送局(2)に出力する請求項１に記載されるデジタルテレビの同時放送方法。
【請求項４】
タイムコード信号が、フレームを表示するフレーム表示時刻信号とフレーム番号を示すフレーム番号信号である請求項１に記載されるデジタルテレビの同時放送方法。
【請求項５】
番組送出放送局(1)が、時報を示すフレームを含む配送デジタルテレビ信号をローカル放送局(2)に伝送し、ローカル放送局(2)が時報を示すものを含むフレームを含む視聴者デジタルテレビ信号を視聴者のテレビジョンに送信する請求項１に記載されるデジタルテレビの同時放送方法。
【請求項６】
番組送出放送局(1)が、圧縮された配送デジタルテレビ信号をローカル放送局(2)に伝送すると共に、番組送出放送局(1)とローカル放送局(2)が圧縮、解凍に要する時間と伝送回線の遅延時間のトータル時間以上とする先送出時間（Ｔ）早く配送デジタルテレビ信号をローカル放送局(2)に出力する請求項１に記載されるデジタルテレビの同時放送方法。
【請求項７】
ローカル放送局(2)が、受信する配送デジタルテレビ信号に含まれるタイムコード信号と標準時との時間差を検出して調整遅延時間として、視聴者デジタルテレビ信号を視聴者のテレビジョンに送信する請求項１に記載されるデジタルテレビの同時放送方法。
【発明の詳細な説明】
【技術分野】
【０００１】
本発明は、番組送出放送局からローカル放送局にデジタルのテレビジョン信号を伝送し、ローカル放送局が番組送出放送局のデジタルテレビジョン信号を受信して、視聴者のテレビジョンに放送するデジタルテレビの放送方法に関し、とくに、配送デジタルテレビ信号から複数のローカル放送局に同じ配送デジタルテレビ信号を伝送して、サービスエリアが異なる視聴者のテレビジョンに同時に同じ画像を表示するのに最適なデジタルテレビの同時放送方法に関する。
【背景技術】
【０００２】
テレビジョン放送は、番組送出放送局から複数のローカル放送局にテレビジョン信号を伝送し、ローカル放送局が番組送出放送局のテレビジョン信号を受信して、特定のサービスエリアにある視聴者のテレビジョンに向けて送信している。この方式は、テレビジョン信号をデジタル方式で送信して、アナログ方式では実現できない綺麗な画像で視聴者のテレビジョンに表示できる。とくに、デジタルのテレビジョン信号は、複数の中継局を経由しても画質が低下しない特徴がある。ただ、デジタルのテレビジョン信号は、種々の処理をして番組送出放送局からローカル放送局に送信され、さらにローカル放送局でも種々の処理をして得られるデジタルテレビ信号を視聴者に向かって送信するために、番組送出放送局から送出してから視聴者のテレビジョンに表示されるまでに時間がかかり、番組送出放送局が出力する時間から数秒も遅延して視聴者のテレビジョンに表示されることがある。さらに、視聴者のテレビジョンに遅延して表示される遅延時間は、番組送出放送局から複数の放送局を経由してローカル放送局に伝送すると、より長くなってしまう。このため、ひとつの番組送出放送局から複数のローカル放送局に直接に、あるいは複数の中継局を介して間接にデジタルテレビ信号を伝送し、ローカル放送局が視聴者のテレビジョンに送信すると、全ての視聴者のテレビジョンに同時に同じ画面を表示できなくなる。デジタルテレビ信号が遅延するのは、伝送回線の遅延のみでなく、デジタル信号のエラー修正のために種々の処理を送信側と受信側とでするために、各種の信号処理に時間がかかるからである。
【０００３】
このように視聴者のテレビに画像が遅れて表示され、しかも地域によって遅延時間が相違するために、たとえば、番組送出放送局から、時報を表示する時計等の画像を複数のローカル放送局に送信すると、時報が標準時からずれてしまう弊害が発生する。また、テレビジョン放送は、その国の標準時を基準にして番組を切り換えているが、標準時とデジタルテレビ信号に含まれる画像の表示時間とがずれると、正確なタイミングで番組を切り換えできなくなる弊害も発生する。
【０００４】
視聴者のテレビジョンに表示されるテレビジョン信号における各フレームの表示時間、いいかえると画像の時間遅れは、番組送出放送局が遅延時間を考慮して、デジタルテレビ信号のローカル放送局に伝送する時間を早めて解消できる。たとえば、番組送出放送局がローカル放送局に出力してから２秒遅れで、視聴者のテレビジョンに画像が表示されるとすれば、すなわち番組送出放送局から視聴者のテレビジョンまでの遅延時間が２秒であるとき、番組送出放送局が、標準時に対して遅延時間に相当する２秒早くデジタルテレビ信号をローカル放送局に出力すると、視聴者のテレビジョンには標準時にぴったりと一致する画像が表示される。この方式を実現するために、番組送出放送局からの遅延時間を検出する方法が開発されている（特許文献１参照）。
【特許文献１】特開２０００−２５３３６８号公報
【０００５】
特許文献１の公報は、番組送出放送局内の送信部で、現在時刻と遅延時間から受信されると想定される設定時刻情報を生成し、送信する。同じ放送局がこのデータを受信し、受信時の時刻と上記設定時刻情報から遅延時間の誤差を検出し、遅延時間を修正する。この方法は、番組送出放送局で遅延時間を検出し、検出された遅延時間で送信時間を修正して送信して、視聴者のテレビジョンに表示される画像の遅れを解消する。
【発明の開示】
【発明が解決しようとする課題】
【０００６】
この公報に記載される装置は、遅延時間を検出し、検出された遅延時間で修正してデジタルテレビジョン信号を送信する。したがって、遅延時間を正確に調整して、視聴者のテレビジョンの時間遅れ、すなわち画像の遅れを解消できる。しかしながら、この方法は、番組送出放送局から送信されるデジタルテレビ信号の送信時刻を遅延時間に相当するように修正して送信するので、番組送出放送局から複数のローカル放送局に同じデジタルテレビ信号を伝送する場合、各ローカル放送局の電波を受信するサービスエリアが異なる視聴者のテレビジョンは、必ずしも同時に画像を表示できなくなる。ローカル放送局によって、番組送出放送局から伝送される遅延時間が相違するからである。複数のローカル放送局に同時にデジタルテレビジョン信号を伝送する番組送出放送局は、遅延時間が異なるローカル放送局の電波を受信する視聴者のテレビジョンに同じ時刻に表示するようにはできない。ローカル放送局によって視聴者のテレビジョンの表示に時間差ができる弊害は、とくに、中継局を介して伝送されるデジタルテレビ信号を受信する視聴者のテレビジョンの時間遅れを大きくする。中継局がデジタルテレビジョン信号の遅延時間を長くするからである。したがって、中継局を経由するデジタルテレビジョン信号を受信する視聴者のテレビジョンは、画像の時間遅れが相当に長くなる。したがって、この方法では、ひとつの番組送出放送局から複数のローカル放送局にデジタルテレビ信号を伝送して、全てのサービスエリアの視聴者のテレビジョンに同時に同じ画像を表示できない。
【０００７】
本発明は、従来のこのような欠点を解決することを目的に開発されたものである。本発明の重要な目的は、番組送出放送局から複数のローカル放送局にデジタルテレビ信号を伝送しながら、全てのサービスエリアの視聴者のテレビジョンに同時に同じ画像を表示できるデジタルテレビの同時放送方法を提供することにある。
また、本発明の他の大切な目的は、ローカル放送局が番組送出放送局から受信するデジタルテレビジョン信号とその地方の標準時から、視聴者のテレビジョンに正確な時間の画像を表示できるように、放送する電波の遅延時間を正確に制御できるデジタルテレビの同時放送方法を提供することにある。
【課題を解決するための手段】
【０００８】
本発明のデジタルテレビの同時放送方法は、番組送出放送局１が、配送デジタルテレビ信号をローカル放送局２に伝送し、この番組送出放送局１から伝送される配送デジタルテレビ信号をローカル放送局２が受信して、視聴者のテレビジョンに受信される電波を放送する。番組送出放送局１は、視聴者のテレビジョンにフレームを表示する時刻を特定するタイムコード信号を、配送デジタルテレビ信号の各フレームに設けて配送デジタルテレビ信号をローカル放送局２に伝送する。さらに、番組送出放送局１は、ローカル放送局２が配送デジタルテレビ信号を受信する標準時の時刻が、配送デジタルテレビ信号のタイムコード信号で特定される時刻よりも早くなるように、配送デジタルテレビ信号を先送出時間（Ｔ）早くしてローカル放送局２に出力する。ローカル放送局２は、受信した配送デジタルテレビ信号を調整遅延時間遅延して、視聴者のテレビジョンに向けて視聴者デジタルテレビ信号を送信する。この調整遅延時間は、視聴者のテレビジョンが視聴者デジタルテレビ信号を受信してフレームを表示する時刻が、フレームに設けているタイムコード信号で特定される時刻を視聴者の地域における標準時とする時間としている。視聴者のテレビジョンは、ローカル放送局２から送信される視聴者デジタルテレビ信号を受信して、各々のフレームを、タイムコード信号の特定時刻を標準時に一致させて表示する。
【０００９】
本発明のデジタルテレビの同時放送方法は、番組送出放送局１が、時報を示すフレームを含む配送デジタルテレビ信号をローカル放送局２に伝送し、ローカル放送局２が時報を示す含むフレームを含む視聴者デジタルテレビ信号を視聴者のテレビジョンに送信することができる。
【００１０】
本発明のデジタルテレビの同時放送方法は、番組送出放送局１が、圧縮された配送デジタルテレビ信号をローカル放送局２に伝送すると共に、番組送出放送局１が圧縮に要する時間と伝送回線の遅延時間のトータル時間以上とする先送出時間（Ｔ）早く配送デジタルテレビ信号をローカル放送局２に出力することができる。
【００１１】
本発明のデジタルテレビの同時放送方法は、ローカル放送局２が、受信する配送デジタルテレビ信号に含まれるタイムコード信号と標準時との時間差を検出して調整遅延時間として、視聴者デジタルテレビ信号を視聴者のテレビジョンに送信することができる。
【発明の効果】
【００１２】
本発明のデジタルテレビの同時放送方法は、番組送出放送局から複数のローカル放送局にデジタルテレビ信号を伝送しながら、全てのサービスエリアの視聴者のテレビジョンに同時に同じ画像を表示できる特長がある。それは、本発明の同時放送方法が、番組送出放送局からローカル放送局に伝送する配送デジタルテレビ信号の各フレームに、フレームを表示する時刻を特定するタイムコード信号を設けると共に、この配送デジタルテレビ信号を先送出時間（Ｔ）早くして番組送出放送局から出力しており、さらに、ローカル放送局では、受信した配送デジタルテレビ信号を調整遅延時間遅延して視聴者デジタルテレビ信号を送信して、視聴者のテレビジョンがタイムコード信号の特定時刻を標準時に一致させて各々のフレームを表示するからである。この同時放送方法は、ローカル放送局が配送デジタルテレビ信号を受信する時刻がタイムコード信号で特定される時刻よりも早くなるように、番組送出放送局が配送デジタルテレビ信号を先送出時間（Ｔ）早く出力し、視聴者のテレビジョンがフレームを表示する時刻が視聴者の地域における標準時となるように、ローカル放送局が視聴者デジタルテレビ信号を調整遅延時間遅延して送信する。このため、ひとつの番組送出放送局から複数のローカル放送局にデジタルテレビ信号を伝送する場合においても、各ローカル放送局で調整遅延時間を調整して、全てのサービスエリアの視聴者のテレビジョンに同時に同じ画像を表示できる。
【００１３】
とくに、本発明のデジタルテレビの同時放送方法では、番組送出放送局からローカル放送局に伝送される配送デジタルテレビ信号の各フレームに設けているタイムコード信号で特定される時間と、その地方の標準時の時刻とを比較して調整遅延時間を特定できる。したがって、ローカル放送局が視聴者デジタルテレビ信号を遅延して放送する時間を正確に制御して、視聴者のテレビジョンに正確な時間の画像を表示できる特長がある。
【発明を実施するための最良の形態】
【００１４】
以下、本発明の実施例を図面に基づいて説明する。ただし、以下に示す実施例は、本発明の技術思想を具体化するための同時放送方法を例示するものであって、本発明は同時放送方法を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図１と図２のブロック図に示す、番組送出放送局１とローカル放送局２によるデジタルテレビの同時放送方法は、番組送出放送局１から複数のローカル放送局２に配送デジタルテレビ信号を伝送し、この配送デジタルテレビ信号を受信したローカル放送局２は、特定のサービスエリアに視聴者デジタルテレビ信号を送信する。視聴者デジタルテレビ信号は、搬送波を変調して、搬送波を介して特定のサービスエリアに送信される。
【００１７】
図２に示す番組送出放送局は、デジタルテレビ信号を作る番組作成装置６と、この番組作成装置６から出力されるデジタルテレビ信号にタイムコード信号を挿入するタイムコード信号挿入装置７と、このタイムコード信号挿入装置７でタイムコード信号を設けたデジタルテレビ信号を、ローカル放送局２に無線や有線で伝送する出力装置８とを備える。
【００１８】
番組作成装置６は、番組製作スタジオの番組送出装置であって、デジタルテレビ信号を出力する。番組作成装置６は、先送出時間（Ｔ）に相当する時間を先にシフトしてデジタルテレビ信号を出力する。たとえば、先送出時間（Ｔ）を５秒とする場合、番組作成装置６は５秒進んだデジタルテレビ信号を出力する。
【００１９】
タイムコード信号挿入装置７は、フレームを視聴者のテレビジョンに表示する時刻を特定するタイムコード信号をデジタルテレビ信号に挿入する。先送出時間（Ｔ）を５秒として、５秒進んだデジタルテレビ信号が入力される場合、フレームには５秒進んだタイムコード信号を設ける。
【００２０】
出力装置８は、入力されるデジタルテレビ信号を電力増幅して配送デジタルテレビ信号としてローカル放送局２に伝送する。出力装置８は、配送デジタルテレビ信号を放送波として送信し、あるいはマイクロ回線網ゃ光通信回線を介して、ローカル放送局２に伝送する。
【００２１】
番組送出放送局１がローカル放送局２に伝送する配送デジタルテレビ信号は、ビットエラーを防止するための処理、あるいは情報量を少なくするための圧縮処理が番組作成装置６でされて、ローカル放送局２に伝送される。ローカル放送局２は、処理された配送デジタルテレビ信号をデコード処理して番組送出放送局１から出力されるデジタルテレビ信号を得る。この方法で番組送出放送局１からローカル放送局２に伝送されるデジタルテレビ信号は、番組送出放送局１とローカル放送局２の両方がデジタル信号を処理するための時間遅延し、さらに伝送回線によっても信号が遅延する。とくに、配送デジタルテレビ信号が衛星回線を介して番組送出放送局１からローカル放送局２に伝送されると、伝送回線の遅延時間が長くなる。伝送回線の遅延時間は、番組送出放送局１からローカル放送局２に伝送される伝送回線の経路により変化する。たとえば、マイクロ波回線の遅延時間に比較して、衛星回線の遅延時間は相当に長くなる。また、番組送出放送局１からローカル放送局２に直接に配送デジタルテレビ信号が伝送されず、中継局を介して、とくに複数の中継局を介して伝送されることもあり、この状態になると、直接に伝送されるのに比較して遅延時間が長くなる。
【００２２】
番組送出放送局１からローカル放送局２に伝送される配送デジタルテレビ信号は、ローカル放送局２に受信される。ローカル放送局２は、受信した配送デジタルテレビ信号を視聴者デジタルテレビ信号として視聴者のテレビジョンに放送する。番組送出放送局１からローカル放送局２に伝送される配送デジタルテレビ信号は伝送される途中で遅延するので、ローカル放送局２が受信した配送デジタルテレビ信号を視聴者デジタルテレビ信号として送信すると、ローカル放送局２から送信される視聴者デジタルテレビ信号を受信する視聴者のテレビジョンは、画像を遅れて表示することになる。                    
【００２３】
この弊害を解消するために、番組送出放送局１は、配送デジタルテレビ信号の遅延時間よりも長い先送出時間（Ｔ）早くしてローカル放送局２に出力する。たとえば、先送出時間（Ｔ）を５秒として、配送デジタルテレビ信号をローカル放送局２に出力する番組送出放送局１は、１２時００分００秒の時報を示すフレームを、１１時５９分５５秒にローカル放送局２に出力する。言いかえると、番組送出放送局１は、１１時５９分５５秒と５秒早く、１２時００分００秒の時報をローカル放送局２に出力する。番組送出放送局１は、ローカル放送局２が番組送出放送局１から伝送される配送デジタルテレビ信号を受信する標準時の時刻が、配送デジタルテレビ信号のタイムコード信号で特定される時刻（前述の例では１２時００分００秒）よりも早くなるように、配送デジタルテレビ信号を先送出時間（Ｔ）早くしてローカル放送局２に出力する。いいかえると、先送出時間（Ｔ）が、番組送出放送局１からローカル放送局２に伝送される遅延時間よりも長くなるようにして、番組送出放送局１は配送デジタルテレビ信号をローカル放送局２に出力する。たとえば、番組送出放送局１から配送デジタルテレビ信号をローカル放送局２に伝送する遅延時間が４秒であると、先送出時間（Ｔ）は４秒よりも長く設定する。先送出時間（Ｔ）が４秒以上であると、番組送出放送局１は、タイムコード信号で表示時間を特定しているフレームが、タイムコード信号の特定時刻よりも４秒以上早くなるように、配送デジタルテレビ信号をローカル放送局２に出力する。すなわち、タイムコード信号で特定しているフレームが、１２時００分００秒の時報であると、番組送出放送局１はこの時報を表示するフレームが、４秒以上先となるように、すなわち、１１時５９分５６秒よりも先、たとえば１１時５９分５５秒にローカル放送局２に出力する。
【００２４】
ローカル放送局２は、番組送出放送局１から伝送されてくる１２時００分００秒の時報を、ローカル放送局の標準時である１２時００分００秒よりも先に受信する必要がある。それは、ローカル放送局２が、番組送出放送局１から送られた１２時００分００秒の時報を遅延して視聴者のテレビジョンに送信することで、視聴者のテレビジョンには、１２時００分００秒に、この時報を表示させるためである。ローカル放送局の遅延時間には、視聴者のテレビジョンでの信号処理時間を含めて、フレームの表示時間をより正確にすることができる。したがって、先送出時間（Ｔ）は、ローカル放送局２が番組送出放送局１の配送デジタルテレビ信号を受信する時刻が、配送デジタルテレビ信号のタイムコード信号で特定される時刻が標準時よりも早くなるように、配送デジタルテレビ信号を先送出時間（Ｔ）早くしてローカル放送局２に出力する。
【００２５】
番組送出放送局１は、複数のローカル放送局２に配送デジタルテレビ信号を出力する。この番組送出放送局１は、最も遅れて配送デジタルテレビ信号を受信するローカル放送局２の時刻が、配送デジタルテレビ信号のタイムコード信号で特定される時刻が標準時よりも早くなるように、配送デジタルテレビ信号の先送出時間（Ｔ）を設定する。言いかえると、番組送出放送局１からローカル放送局２に伝送される最も長い遅延時間よりも、先送出時間（Ｔ）を長くしている。たとえば、最も遅れて配送デジタルテレビ信号を受信するローカル放送局２の遅延時間が４秒であると、先送出時間（Ｔ）を４秒よりも長く、たとえば５秒に設定して、番組送出放送局１は配送デジタルテレビ信号をローカル放送局２に向かって伝送する。番組送出放送局１が配送デジタルテレビ信号を速く出力する先送出時間（Ｔ）は、遅延時間に等しくしないで、遅延時間よりも長くする。ローカル放送局２が、受信した配送デジタルテレビ信号をさらに遅延して視聴者のテレビジョンに送信するからである。ローカル放送局２が、受信した配送デジタルテレビ信号を遅延させて送信する時間、すなわち調整遅延時間は、必ずしも全てのローカル放送局２において同じではなく、各々のローカル放送局２が最適時間に調整して、視聴者のテレビジョンにタイムコード信号で特定される時間にフレームを表示させる。
【００２６】
番組送出放送局１からローカル放送局２に伝送される配送デジタルテレビ信号は、各々のフレームを視聴者のテレビジョンに表示する時刻を特定するタイムコード信号を各フレームに設けている。ただし、本発明のデジタルテレビの同時放送方法は、必ずしも全てのフレームにタイムコード信号を設ける必要はなく、特定のフレームにタイムコード信号を設けて、配送デジタルテレビ信号をローカル放送局２に出力することもできる。この方法は、たとえば、一定の時間に１回の割合でフレームにタイムコード信号を設けることができる。たとえば、１秒に３０フレームの画像を伝送するデジタルテレビの同時放送方法においては、３０フレームに１回の割合で、あるいは６０フレームに１回の割合でタイムコード信号を配送デジタルテレビ信号に設けることができる。タイムコード信号を設けている配送デジタルテレビ信号は、番組送出放送局１からローカル放送局２に伝送される。
【００２７】
配送デジタルテレビ信号は、各々のフレームにタイムコード信号を設けている。タイムコード信号は、各々のフレームを視聴者のテレビジョンに表示する時刻を特定する表示時刻を示すデジタル信号である。図４に示す配送デジタルテレビ信号のタイムコード信号は、タイムコード信号を含むフレームを視聴者のテレビジョンに表示する時刻を示すデジタル信号である。たとえば、番組送出放送局１からローカル放送局２には、２００４年５月１０日１２時００分００秒、００フレームのタイムコード信号に「２００４年５月１０日１２時００分００秒の時報」を表示するフレームの配送デジタルテレビ信号が伝送される。タイムコード信号は、各フレームを視聴者のテレビジョンに表示する秒のみを示すデジタル信号とすることができ、さらに１秒の１／１０〜１／１０００の単位を示すデジタル信号とすることができる。図５は、１フレームに相当するデジタル信号を順番に示している。図において、１フレームに相当するデジタルは、１フレームの画像信号と音声信号とタイムコード信号と制御信号を決められた特定の条件で含んでいる。制御信号は、１フレームのスタート信号やストップ信号など、１フレームの画像や音声や等を制御する信号である。この図のタイムコード信号は、フレームを表示する時刻を示すフレーム表示時刻信号に続いて、フレーム番号を示すフレーム番号信号を設けている。たとえば、日本の配送デジタルテレビ信号が１秒間に３０フレームの信号を伝送する場合、図５に示すように、各々の１フレームに相当するデジタル信号に、フレーム表示時刻信号とフレーム番号信号からなるタイムコード信号を含ませる。すなわち、配送デジタルテレビ信号は、３０フレームのフレーム表示時刻を同じ時刻の信号とし、このフレーム表示時刻信号に続いて、００〜３０のフレーム番号信号を設けて、ビットストリームのデジタル信号として伝送される。
【００２８】
ローカル放送局２は、配送デジタルテレビ信号に含まれるタイムコード信号から、伝送回線の遅延時間を検出する。検出した遅延時間から調整遅延時間を演算し、演算した調整遅延時間でもって、受信した配送デジタルテレビ信号を遅延させて視聴者のテレビジョンに送信する。たとえば、図３に示すように、番組送出放送局１が先送出時間（Ｔ）を５秒に設定して、配送デジタルテレビ信号をローカル放送局２に出力する。この配送デジタルテレビ信号が、時報を示す信号であると、時報を示すフレームは、タイムコード信号に続いて、地域の標準時の時刻よりも５秒先にローカル放送局２に出力される。たとえば、番組送出放送局１は、１２時００分００秒の時報を示すフレームに１２時００分００秒のタイムコード信号を設けて、標準時の１１時５９分５５秒にローカル放送局２に出力する。番組送出放送局１から出力される配送デジタルテレビ信号が、４秒の遅延時間でローカル放送局２に伝送されるとすると、ローカル放送局２は、１２時の時報を示すフレームを、標準時の時刻よりも１秒早く受信する。時報は１２時００分００秒に視聴者のテレビジョンに表示されるフレームであるから、この時報を示すタイムコード信号を標準時の時刻に比較して、ローカル放送局２は調整遅延時間を検出する。時報に限らず、タイムコード信号は各々のフレームを視聴者のテレビジョンに表示する時刻を示すデジタル信号であるから、このタイムコード信号を標準時の時刻に比較して、調整遅延時間を検出することができる。すなわち、ローカル放送局２は、受信する配送デジタルテレビ信号からタイムコード信号を分離し、このタイムコード信号から標準時の時刻を減算して調整遅延時間を演算できる。
【００２９】
仮に、番組送出放送局１が先送出時間（Ｔ）を５秒としてローカル放送局２に配送デジタルテレビ信号を伝送し、番組送出放送局１からローカル放送局２までの遅延時間が４秒として、ローカル放送局２が、受信した配送デジタルテレビ信号を遅延することなく視聴者デジタルテレビ信号として送信すると、視聴者のテレビジョンには、１２時００分００秒の時報が１秒早く表示される。この状態を解消するために、ローカル放送局２は、配送デジタルテレビ信号を受信してから、調整遅延時間に相当する１秒遅延させて、視聴者デジタルテレビ信号を送信する。視聴者のテレビジョンは、ほとんど遅延することなく、あいるはわずかに遅延して視聴者デジタルテレビ信号を受信して１２時の時報を表示する。視聴者のテレビジョンが受信した視聴者デジタルテレビ信号を遅延して表示する場合、ローカル放送局２は視聴者のテレビジョンの遅延時間を考慮して、調整遅延時間を演算する。仮に、視聴者のテレビジョンが、受信した視聴者デジタルテレビ信号を１００ｍｓｅｃの遅延でフレームを表示する場合、ローカル放送局２は調整遅延時間を１００ｍｓｅｃ短くして、いいかえると１００ｍｓｅｃ早く視聴者デジタルテレビ信号を送信する。このデジタルテレビ信号は、フレーム単位で制御することができる。
【００３０】
すなわち、ローカル放送局２が配送デジタルテレビ信号を受信して視聴者デジタルテレビ信号を遅延して送信する調整遅延時間は、視聴者のテレビジョンが、各フレームを表示する時刻を、フレームに設けたタイムコード信号の特定時刻が視聴者の地域における標準時の時刻となる時間に設定される。たとえば、１２時００分００秒の時報を示すフレームが、視聴者のテレビジョンに１２時００分００秒に表示されるように、調整遅延時間を設定する。図３のタイミング図においては、ローカル放送局２が、番組送出放送局１から伝送される配送デジタルテレビ信号に含まれる時報を示すフレームを、タイムコード信号で特定される時刻よりも１秒早く受信するので、調整遅延時間を１秒に設定して視聴者デジタルテレビ信号を送信すると、これを受信した視聴者のテレビジョンには時報を標準時の時刻に一致して表示できる。したがって、ローカル放送局２は、図４に示すように、フレームのタイムコード信号に含まれる特定時刻と標準時の時刻とを比較して、調整遅延時間を演算できる。ローカル放送局２は、受信する配送デジタルテレビ信号を調整遅延時間遅延して視聴者デジタルテレビ信号を送信する。
【００３１】
ローカル放送局２が、調整遅延時間を以上の時間に設定して視聴者デジタルテレビ信号を、視聴者のテレビジョンに送信すると、視聴者のテレビジョンは、視聴者デジタルテレビ信号を受信して、各々のフレームを、タイムコード信号の特定時刻が標準時に一致するタイミングで表示できる。
【００３２】
以上の同時放送方法に使用される図１のシステムは、番組送出放送局１とローカル放送局２とを備える。ローカル放送局２は、同じ構成のものが複数局あって、各々のローカル放送局２は番組送出放送局１から伝送される配送デジタルテレビ信号を受信して、各々のサービスエリアに視聴者デジタルテレビ信号を送信する。
【００３３】
番組送出放送局１は、視聴者のテレビジョンにフレームを表示する時刻を特定するタイムコード信号を、配送デジタルテレビ信号の各フレームに設けて配送デジタルテレビ信号をローカル放送局２に伝送すると共に、ローカル放送局２が配送デジタルテレビ信号を受信する標準時の時刻が、配送デジタルテレビ信号のタイムコード信号で特定される時刻よりも早くなるように、配送デジタルテレビ信号を先送出時間（Ｔ）早くしてローカル放送局２に出力する。さらに、番組送出放送局１は、配送デジタルテレビ信号の情報量を少なくするために圧縮し、あるいはビットエラーを防止するための処理をしてローカル放送局２に出力する。
【００３４】
番組送出放送局１から出力される配送デジタルテレビ信号は、放送波を含む放送回線、あるいはマイクロ波の無線回線を介して、あるいは衛星回線を介して、あるいはまた有線回線を介してローカル放送局２に伝送される。ローカル放送局から送り出される視聴者デジタルテレビ信号も、無線又は有線で視聴者のテレビジョンに伝送される。
【００３５】
ローカル放送局２は、番組送出放送局１から伝送される配送デジタルテレビ信号を受信する受信装置９と、この受信装置９で受信した配送デジタルテレビ信号から遅延時間を検出して調整遅延時間を検出する遅延時間検出装置３と、検出した調整遅延時間で、受信した配送デジタルテレビ信号を遅延させて視聴者デジタルテレビ信号とする送出時間制御装置４と、得られた視聴者デジタルテレビ信号を視聴者のテレビジョンに送信する放送装置５とを備えている。
【００３６】
受信装置９は、番組送出放送局から伝送される配送デジタルテレビ信号を受信する。番組送出放送局１が配送デジタルテレビ信号を無線伝送する場合、受信装置９は電波を受信する。番組送出放送局１が、配送デジタルテレビ信号を有線で伝送する場合は、受信装置９は有線で入力される信号を受信する。無線または有線で番組送出放送局から伝送される配送デジタルテレビ信号は、搬送波をタイムコード信号を含むデジタルテレビ信号で変調したものである。受信装置９は受信した信号を復調してタイムコード信号を含むデジタルテレビ信号を出力する。
【００３７】
遅延時間検出装置３は、受信装置で受信した配送デジタルテレビ信号からタイムコード信号を検出するタイムコード信号検出装置１０と、ローカル放送局の標準時タイムコード信号を発生させるタイムコード信号発生装置１１と、標準時タイムコード信号と配送デジタルテレビ信号に含まれるタイムコード信号とを比較するタイムコード信号時間差検出装置１２とを備える。標準時タイムコード信号は、ローカル放送局の標準時を発生させるローカル局標準時刻発生装置１４から出力されるローカル放送局の標準時刻をタイムコード信号に変換したものである。
【００３８】
以上の回路構成の遅延時間検出装置３は、配送デジタルテレビ信号に含まれるタイムコード信号と標準時タイムコード信号を、タイムコード信号時間差検出装置１２で比較して、配送デジタルテレビ信号に含まれるタイムコード信号を標準時タイムコード信号に比較して時間差を検出する。ローカル放送局は、この時間差を調整遅延時間として、受信した配送デジタルテレビ信号を調整遅延時間遅延させて視聴者デジタルテレビ信号を送信する。
【００３９】
以上のように遅延時間検出装置３は、受信する配送デジタルテレビ信号のタイムコード信号を標準時の時刻に比較して、調整遅延時間を検出する。タイムコード信号はフレームを視聴者のテレビジョンに表示する時間を特定するものであるから、タイムコード信号を現地の標準時の時刻に比較して、調整遅延時間を検出することができる。タイムコード信号が標準時の時刻よりも１秒遅いと、タイムコード信号のフレームを１秒後に視聴者のテレビジョンに表示すれば、フレームはタイムコード信号の時刻に表示される。したがって、調整遅延時間が検出されると、送出時間制御装置４は、受信した配送デジタルテレビ信号を調整遅延時間遅延させて視聴者デジタルテレビ信号とする。視聴者デジタルテレビ信号は、タイムコード信号の時刻を標準時の時刻に一致させているので、視聴者デジタルテレビ信号を受信する視聴者のテレビジョンには、タイムコード信号に一致する時刻にフレームを表示できる。
【００４０】
さらに、図２のローカル放送局は、視聴者のテレビジョンの遅延時間を補正するテレビジョン補正装置１３も備えている。テレビジョン補正装置１３は、デジタル方式のテレビジョンが視聴者デジタルテレビ信号を受信してフレームを表示するまでの遅延時間を補正する。たとえば、視聴者のデジタルテレビジョンが、視聴者デジタルテレビ信号を受信してフレームを表示するまでに１００ｍｓｅｃかかる、いいかえると、視聴者デジタルテレビ信号を受信してからフレーム表示までの遅延時間が１００ｍｓｅｃであると、テレビジョン補正装置１３は、視聴者デジタルテレビ信号を標準時よりも１００ｍｓｅｃ早く視聴者のテレビジョンに出力する。すなわち、テレビジョン補正装置１３は、視聴者のテレビジョンの遅延時間視聴者デジタルテレビ信号を進めて出力する。この視聴者デジタルテレビ信号を受信した視聴者のテレビジョンは、１００ｍｓｅｃ送れてフレームを表示するので、フレームは標準時に表示される。以上のテレビジョン補正装置１３を備えるローカル放送局は、視聴者のテレビジョンの遅延を補正して、フレームをタイムコード信号の時刻に極めて正確に一致させて、視聴者のテレビジョンに表示できる。
【００４１】
ただし、視聴者のテレビジョンの遅延時間は短いので、ローカル放送局は必ずしもテレビジョン補正装置１３を設ける必要はない。視聴者のテレビジョンがフレームを表示する時刻のわずかなずれ、たとえば、タイムコード信号の特定時刻に対してフレームの表示時刻の１００ｍｓｅｃ以下のずれは、視聴者にはほとんど識別できないからである。
【００４２】
本発明のデジタルテレビの同時放送方法は、視聴者のテレビジョンのフレームの表示時刻と、タイムコード信号の特定時刻とのずれを少なくすることを特徴とするものであるが、タイムコード信号の特定時刻と、フレーム表示時刻の３００ｍｓｅｃ以下のずれは、視聴者にはほとんど識別できないので、タイムコード信号の特定時刻とフレーム表示時刻とは、たとえば秒単位で一致させる。さらに好ましくはタイムコード信号の特定時刻とフレーム表示時刻とのずれは、３００ｍｓｅｃ以下、最適には１００ｍｓｅｃ以下となるように、調整遅延時間を補正する。このため、１秒間のフレーム数を３０フレームとするデジタルテレビの同時放送方法においては、視聴者のテレビジョンに表示されるフレームのずれは、１５フレーム以下、好ましくは１０フレーム以下、最適には３フレーム以下となるように制御する。１秒間のフレーム数を６０フレームとするテレビジョンにおいては、テレビジョンに表示されるフレーム数のずれは、３０フレーム以下、好ましくは２０フレーム以下、最適には６フレーム以下となるように制御する。
【００４３】
さらに、図２の鎖線で示すように、ローカル放送局は、受信装置で受信した信号に、自局番組製作装置１５の信号を追加することもできる。自局番組製作装置１５は、ローカル放送局で製作した番組を、番組送出放送局から伝送される信号に追加するための装置である。ここに自局番組製作装置１５を設けているローカル放送局は、地震等の緊急放送を追加して放送できる。
【図面の簡単な説明】
【００４４】
【図１】本発明の一実施例にかかるデジタルテレビの同時放送方法を示すブロック図である。
【図２】図１に示すデジタルテレビの同時放送方法に使用する番組送出放送局とローカル放送局のブロック図である。
【図３】配送デジタルテレビ信号の送受信と視聴者デジタルテレビ信号の送信のタイミングを示す図である。
【図４】フレームのタイムコード信号の特定時刻と標準時の時刻とを比較する状態を示す図である。
【図５】ビットストリームで伝送される各々のフレームに含まれる信号を示すブロック図である。
【符号の説明】
【００４５】
１…番組送出放送局
２…ローカル放送局
３…遅延時間検出装置
４…送出時間制御装置
５…放送装置
６…番組作成装置
７…タイムコード信号挿入装置
８…出力装置
９…受信装置
１０…タイムコード信号検出装置    
１１…タイムコード信号発生装置
１２…タイムコード信号時間差検出装置
１３…テレビジョン補正装置
１４…ローカル局標準時刻発生装置
１５…自局番組製作装置
【図１】
2006013818.tif 000003
【図２】
2006013818.tif 000004
【図３】
2006013818.tif 000005
【図４】
2006013818.tif 000006
【図５】
2006013818.tif 000007